Podtech/llm-jp-corpus-v4-ja_patent huggingface dataset:
(57)【要約】【課題】    紙おむつの取替え用パットを提供する【解決手段】  紙おむつに取替え用パットを付けた紙おむつ【選択図】図１
2010259733.tif 000002
【特許請求の範囲】
【請求項１】
携帯電話機に照明用のライトをつける
【発明の詳細な説明】
【技術分野】
【０００１】  本考案は、紙おむつと取替えパットに関するものである。
【背景技術】
【０００２】  従来紙おむつにはパットを付けたものはなかった
【考案が解決しようとする課題】
【０００３】  紙おむつを取り替えるときは全体を取り替えて無駄があった
【課題を解結するための手段】
【０００４】  紙おむつにマジックテープで簡単にパットが交換できる
【考案の効果】
【０００５】  パットを取り替えるだけですむので無駄がなく簡単である
【発明を実施するための最良の形態】
【０００６】  以下、本考案の実施の形態を説明する
（イ）紙おむつ本体（１）に取り替えようパット（２）を取り付ける
【図面の簡単な説明】
【０００８】
【図１】  本考案の斜視図
【符号の説明】１  紙おむつ本体
２  取り替えようパット
【図１】
2010259733.tif 000003
(57)【要約】【課題】ハンガーが絡まずに取扱のできるハンガー吊下具を提供する。【解決手段】斜方端面を有する任意形状の板体を設け、該板体上部に押圧挟持部を設けたことを特徴とする。【選択図】図４
2010259737.tif 000002
【特許請求の範囲】
【請求項１】
斜方端面を有する任意形状の板体を設け、該板体上部に押圧挟持部を設けたことを特徴とするハンガー吊下具。
【請求項２】
板体に代えて管体もしくは棒体を用いてなる請求項１記載のハンガー吊下具。
【発明の詳細な説明】
【技術分野】
【０００１】  この発明は、ハンガーとりわけ針金ハンガーを吊下収納するための用具に関する。
【背景技術】
【０００２】  従来より、ハンガーは衣類吊下用具として多用されており、一般的には横長管体にフック部を引っ掛けて吊下収納しており、本発明にて示すように、傾斜端面を用いて吊下収納するものは見あたらない。
【発明の開示】
【発明が解決しようとする課題】
【０００３】  ハンガーは衣類保管や洗濯物を干すときに多用され、後者のときは針金ハンガーが多用される。この針金ハンガーは、ビニールにて被覆された針金を衣紋掛け形状に折曲形成したもので、クリーニング店からクリーニング後の衣類に添付して渡されることが多く、その簡便性のためよく利用されている。この針金ハンガーは管体に引っ掛けて保管されることが多く、洗濯物を干すときに、一本ずつ管体から取り外して衣服に通し、管体に掛けて干されるが、針金により製作されているので、この針金ハンガーは互いに絡まりやすく、多数本を束ねて移動させるときに不便であるという問題を有している。また、簡易成形のため、各ハンガー寸法は若干のばらつきがあり、これも扱いにくい要因の一つとなっている。本発明は、以上のような針金ハンガー収納と使用時における課題を解決するために発明されたもので、押圧挟持部と傾斜端面を有する板体にて既述の課題を解決できる、新規かつ有用なる手段を提供することを目的として開発されたものである。
【課題を解決するための手段】
【０００４】  課題を解決する手段として本発明は以下の構成とした。
すなわち、斜方端面を有する任意形状の板体を設け、該板体上部に押圧挟持部を設ける。
本発明は以上の構成よりなるハンガー吊下具である。なお、板体に代えて管体や棒体を用いて構成してもよい。
【発明の効果】
【０００５】  本発明によれば、傾斜端面に針金ハンガーのフック部を位置させることにてコンパクトに互いに絡むことなく吊下収納保持させることができ、また、本品上部に押圧挟持部が位置するので、任意の管体等に本品を押圧保持させるとともに、管体に対して着脱可能なる有用なる物品を得ることができる。
【発明を実施するための最良の形態】
【０００６】  以下、本発明の実施形態について説明する。
図において、１は主体で、合成樹脂板を略斜方台形状に形成するとともに、外形と略相似形の中抜き部分を設けたもので、その上部には有孔の突片２が一体に形成される。
３は押圧挟持部で、市販のピンチと同様構成の部分で、はさみ口は円弧形弾性部材にて常に閉方向に付勢されている。また、はさみ口の一方は他方より長く、孔が設けられている。４はあて板で、有孔の小板体である。主体の突片と押圧挟持部およびあて板の孔位置は各々一致して、図３のごとくビスとナットにて締め付けられている。
本発明の使用時は、押圧挟持部の上部を指で押圧して挟み口を開き、任意に選択した管体にあてがい、指を離すことにて本品は管体に押圧保持される。
この状態において、針金ハンガーの首部を主体下方の斜方端面に掛けて手を離すと、該ハンガーの自重にて斜方端面に沿って下降移動し、端面終焉部に当接して止まる。
これを繰り返すことにて、図４のごとくハンガーは互いにその高さをわずかに違えて整列する。洗濯物を干すときは、最下位置のハンガーを順に外して用いる。
図６は、本発明の別例を示すもので、斜方端面と押圧挟持部のみによるより簡素化した構成のものであり、機能は前例と同様である。【０００７】  以上、本発明について記したが、本発明は傾斜端面に沿ってハンガーを移動整列させるところにその特徴を有し、各ハンガーは自重にて若干の押圧にて整列するので互いに絡まることなく取り外して用いることができる。また、押圧挟持部ごと管体から本品を外し、任意の位置に移動させることができる。従来はこのような手段がなく、管体に単にハンガーを吊下させて用いるために、複数本のハンガーを手で持つと、各ハンガー位置が不揃いとなり、互いに絡まって使用に不便であったが、本発明にてこれが解消されるものとなったのである。
本発明においては傾斜端面角度が重要で、角度が小さいとハンガーの移動が行われず、大きいときは移動速度が大となってハンガーの首部すなわちフック部が互いに重なり合うために好ましくない。実験の結果、傾斜端面角度θは水平に対して１０度〜３０度の範囲が許容限度で、好ましくは１５度〜２０度であった。既述の例は板体にて主体を形成したが、板体に代えて管体もしくは棒体にて形成してもよい。また、図６のように簡素化、すなわち押圧挟持部下方に、その下端に突起部を有する傾斜面を設けた構成としてもよい。
以上の例は押圧挟持部に主体を取り付けて構成したが、これらを一体に形成して構成してもよい。以上のごとく、本発明にてハンガー互いの絡まりを防止するとともに、その取り外しと移動に便利なる物品を提供することができる。
【図面の簡単な説明】
【０００８】
【図１】  本発明の正面図
【図２】  本発明の背面図
【図３】  本発明の右側面図
【図４】  本発明の使用状態図（正面視）
【図５】  本発明の使用状態図（右側面視）
【図６】  本発明の他例図（正面視）
【符号の説明】
【０００９】  １  主体
２  突片
３  押圧挟持部
４  あて板
５  管体
６  針金ハンガー
７  主体
８  斜方端面
【図１】
2010259737.tif 000003
【図２】
2010259737.tif 000004
【図３】
2010259737.tif 000005
【図４】
2010259737.tif 000006
【図５】
2010259737.tif 000007
【図６】
2010259737.tif 000008
(57)【要約】【課題】  安全に、かつ、容易に身体運動と回転の協調を楽しむことのできる独楽を提供する。【解決手段】  中空の独楽（１）に磁性を有する軸（２）と風穴（３）を設け、それを回転させるレールとして、平行に並べた２つの楕円形の鉄の細い棒（４）を用いたことを特徴とする。【選択図】図１
2010259732.tif 000002
【特許請求の範囲】
【請求項１】
中空の独楽（１）に磁性を有する軸（２）と風穴（３）を設け、それを回転させるレールとして、平行に並べた２つの楕円形の鉄の細い棒（４）を用いた、安全に、かつ、容易に身体運動と回転の協調を楽しむことのできる独楽。
【発明の詳細な説明】
【技術分野】
【０００１】  この発明は、安全に、かつ、容易に身体運動と回転の協調を楽しむことのできる独楽に関するものである。
【背景技術】
【０００２】  従来、独楽には、紐を巻いて回転させるものをはじめ、実に様々なものがあった。
【発明の概要】
【発明が解決しようとする課題】
【０００３】  これまで多くの独楽は、連続した身体運動と独楽の回転を協調させることを楽しみの目的としていなかった。例外として、いわゆる中国独楽やヨーヨーがこの目的を有するが、独楽が外れたり何かにぶつかるという不安を抱くことなしに、かつ、思いのままに回転させることには一定の技術の習得が必要であった。
【課題を解決するための手段】
【０００４】  中空の独楽（１）に磁性を有する軸（２）と風穴（３）を設け、それを回転させるレールとして、平行に並べた２つの楕円形の鉄の細い棒（４）を用いる。
本発明は、以上の構成よりなる、容易に、身体運動と回転の協調を楽しむことのできる独楽である。
【発明の効果】
【０００５】  この発明により、安全に、かつ容易に身体運動と独楽の回転を協調させる楽しみを得ることができる。
【発明を実施するための形態】
【０００６】  以下、本発明を実施するための最良の形態について説明する。
中空の独楽（１）に、磁性を有する軸（２）と風穴（３）を設け、それを回転させるレールとして、平行に並べた２つの楕円形の鉄の細い棒（４）を用いる。
本発明は、以上のような構成で、これを使用するときは、独楽の軸を２本のレールの内側に橋をかけるように置き、レールの左右を交互に傾ければよい。
磁性を有する軸のため、独楽は楕円のレールの内側を落下することなく移動しながら回転する。さらに一定の回転数に達すると、風穴に吹き込む風のために音を鳴らし始める。その音が、身体運動と独楽の回転を協調させることの面白みを増大させる。
【図面の簡単な説明】
【０００７】
【図１】  本発明の斜視図である。
【符号の説明】
【０００８】    １  中空の独楽
２  磁性を有する軸
３  風穴
４  楕円形の鉄の細い棒
【図１】
2010259732.tif 000003
(57)【要約】【課題】ネックレス及びブレスレッド等のアクセサリーを容易に固定でき、片手で容易に装着できる事により装着時間を縮め、装着者のストレスを解消できる装置を提供できる。【解決手段】胴体部分（２）に針状装置（１）を設け、針状装置（１）にネックレス及びブレスレッド等のアクセサリーのジョイント金具の円形部分（７）を針状の部分に挿入し、ネックレス及びブレスレッド等のアクセサリーを腕に固定でき、他方の片手でジョイント金具の開閉装置（８）を開けて装着が短時間でストレスなしに可能にする事ができる。【選択図】図１
2010259740.tif 000002
【特許請求の範囲】
【請求項１】
アクセサリーを装着する時の装着用補助器具。
【請求項２】
ネックレス及びブレスレッド等のアクセサリーを装着する時の装着用補助器具。
【請求項３】
一方を鏡、家具、壁等に固定可能な固定用装置（４）を有したネックレス及びブレスレッド等のアクセサリー装着用補助器具。
【請求項４】
鏡、家具等に固定されたネックレス及びブレスレッド等のアクセサリー用の装着用補助器具。
【請求項５】
腕に巻きつける事が出来たり、首に巻きつけて固定できる携帯用のネックレス及びブレスレッド等のアクセサリー装着用補助器具。
【請求項６】
針状部分がネックレスやブレスレッド等のアクセサリーの穴に装着でき、ネックレス及びブレスレッド等のアクセサリーの一端を固定できる細い針状の装置（１）を備えた請求項１及び請求項２及び請求項３及び請求項４及び請求項５のネックレス及びブレスレッド等のアクセサリー装着用補助器具。
【請求項７】
針状装置（１）の物が磁石になっていて鉄等の素材で出来ているネックレス及びブレスレッド等のアクセサリーの一端を固定できる請求項１及び請求項２及び請求項３及び請求項４及び請求項５のネックレス及びブレスレッド等のアクセサリー装着用補助器具。
【請求項８】
胴体部分（２）が金属、ゴム、形状記憶合金、プラスティック、布等の変形可能な物で、マジックテープや凹凸の形状を有した装着可能な機能を持った装置等で体に固定する事が出来る請求項１及び請求項２及び請求項５及び請求項６及び請求項７のネックレス及びブレスレッド等のアクセサリー装着用補助器具。
【発明の詳細な説明】
【技術分野】
【０００１】この発明は、ネックレス及びブレスレッド等のアクセサリーを装着する際に、使用する器具に関するものである。
【背景技術】
【０００２】従来、ネックレス及びブレスレッド等のアクセサリーを装着する際に、使用者自身で装着を簡易に行える専用補助器具は無かった。
【発明の開示】
【発明が解決しようとする課題】
【０００３】ネックレス及びブレスレッド等のアクセサリーを装着しようとする使用者が、ネックレス及びブレスレッド等のアクセサリーを固定し、ジョイント金具の円形部分（７）を固定し、他方のジョイント金具の開閉装置（８）を開けて装着する事は非常に困難で、時間がかかり、ストレスを伴うものであった。
本発明は、ネックレス及びブレスレッド等のアクセサリーを容易に固定でき、片手で容易に装着できる補助器具であり、装着時間を縮め、装着者のストレスを解消する為のものである。
【課題を解決する為の手段】
【０００４】胴体部分（２）に針状装置（１）を設けて、針状装置（１）にネックレス及びブレスレッド等のアクセサリーのジョイント金具の円形部分（７）を針状の部分に挿入し、ネックレス及びブレスレッド等のアクセサリーを腕に固定でき、他方の片手でジョイント金具の開閉装置（８）を開けて装着が可能になり、装着時間が短縮され、装着時のストレスが緩和される機能をもったネックレス及びブレスレッド等のアクセサリー装着用補助器具である。
【発明の効果】
【０００５】胴体部分（２）に針状装置（１）を設けて、針状装置（１）にネックレス及びブレスレッド等のアクセサリーのジョイント金具の円形部分（７）を針状の部分に挿入し、胴体部分（２）を腕に巻きつける事によるか、胴体部分（２）の他方を固定する事により、ネックレス及びブレスレッド等のアクセサリーを腕や首等に巻きつけて他方の片手でジョイント金具を開けて容易に装着が可能になり装着時間が短縮され、装着時のストレスが緩和される。
【発明を実施する為の最良の形態】
【０００６】以下、本案の実施の形態について説明する。
（イ）胴体部分（２）に針状部分（１）を設ける。
（ロ）胴体部分（２）の他方に固定装置（３）を設ける。
（ハ）胴体部分（２）を変形可能な物にする。
本案を使用するときは、（ロ）の場合は固定装置を鏡の面等（４）に吸着させ針状装置（１）にネックレス及びブレスレッド等のアクセサリーのジョイント金具の円形部分を挿入し、そのネックレス及びブレスレッド等のアクセサリーを腕や首等に巻きつけた後に、ジョイントさせる事ができる。（ハ）については、胴体部分（２）を腕や首等に巻きつけ針状装置（１）にネックレス及びブレスレッド等のアクセサリーのジョイント金具の円形部分を挿入し、そのネックレス及びブレスレッド等のアクセサリーを腕や首等に巻きつけた後に、ジョイントさせる事ができる。
【図面の簡単な説明】
【０００７】
【図１】本発明の胴体部分（２）と針状装置（１）の斜視図である。
【図２】本発明の固定装置（３）を備えた物の固定した斜視図である。
【図３】本発明の鏡等（４）に備え付けた物の斜視図である。
【図４】本発明の腕（５）に巻きつけた斜視図である。
【図５】本発明の首（６）に巻きつけた斜視図である。
【図６】本発明の腕に使用装着中の斜視図である。
【図７】本発明の凹（９）凸（１０）部分を備えた斜視図である。
【図８】本発明のマジックシール（１１）を備えた斜視図である。
【符号の説明】
【０００８】（１）針状装置
（２）胴体部分
（３）固定用装置
（４）鏡等
（５）腕
（６）首
（７）ジョイント金具の円形部分
（８）ジョイント金具の開閉装置
（９）凹
（１０）凸
（１１）マジックテープ
【図１】
2010259740.tif 000003
【図２】
2010259740.tif 000004
【図３】
2010259740.tif 000005
【図４】
2010259740.tif 000006
【図５】
2010259740.tif 000007
【図６】
2010259740.tif 000008
【図７】
2010259740.tif 000009
【図８】
2010259740.tif 000010
(57)【要約】【課題】帯状の本体と、リング材をベルト同様に組み合わせた、衛生的・安全かつ容易に扱え、簡易・便利性機能を持たせた、衛生的で経済的な塩化ビニールと樹脂性軽量造形材製の便座用取手を提供する。【解決手段】本発明は以上のような構造である、塩化ビニール製本体１を、樹脂性軽量造形材製リングにより締め付け固定する組み合わせを実現した、簡易・便利機能を持たせた、衛生的で経済的な塩化ビニール材製と樹脂性軽量造形材製の便座用取手を特徴とする。【選択図】図１
2010259750.tif 000002
【特許請求の範囲】
【請求項１】
トイレ便座へ直接手を触れる事なく便座を開閉し、不潔・不快感を軽減する為の軟質塩化ビニール製の取手であって、脱着及び使用時の調節機能を有する、便利性と衛生を考慮した取手を特徴とする、トイレ蓋及び便座の開閉用取手。
【発明の詳細な説明】
【技術分野】
【０００１】本発明は、トイレ便座へ直接手を触れる事なく便座を開閉し、不潔・不快感を軽減する為の軟質塩化ビニール製の取手であって、脱着及び使用時の調節機能を有する、便利性と衛生面を考慮した取手を特徴とする、トイレ便座の開閉用取手に関する。
【背景技術】
【先行技術文献】
【０００２】従来品におけるトイレ便座の開閉具は、電動式人体感知センサーを有しているものに依るものがある。（例えば特許文献１，特許文献２参照）。または便器製作時点での装着もしくは便器の改造が必要なものがある。（例えば特許文献３参照）
【特許文献１】特許出願２００６−２５２７４８
【特許文献２】特許出願２００５−２３６５１５
【特許文献３】特許出願２００５−１２２４６７
【発明の概要】
【発明が解決しようとする課題】
【０００３】しかしながら従来品のトイレ便座開閉具は、センサーや電気設備、構造設計・施工等の専門的な技術が必要であった。特に開閉用センサー機能付き便器は売値のみならず製作原価も高額で、一般的な普及率は低く、また定期的なメンテナンスを怠ると起動しなくなることもある等の点で不利がある。
【課題を解決するための手段】
【０００４】本発明は、軽量・衛生的で、便利性・携帯性と量産性の機能を有している軟質塩化ビニール製取手であって、机や扉を開閉する要領と同様の動作で手軽に使用出来る、容易な脱着機能を有した軟質塩化ビニール製取手を特徴とする、簡易で経済的な取手を提供することで上記課題を解決する。
【発明の効果】
【０００５】本発明は、トイレ便座へ直接手を触れる事なく、トイレ便座を開閉し、不潔・不快感を軽減する為の軟質塩化ビニール製の取手であって、取手自体のトイレ蓋及び便座からの脱着機能を有する、便利で衛生的に優れた快適さを確保するのに極めて有効である。
【発明を実施するための形態】
【０００６】本発明の取手は、図１、図２、図３に示すように、軟質塩化ビニール製取手本体１を樹脂性造形軽量材製のリング２で締め付け合わせ、本体１はリング２の内部でスライドする機能を有する。安全性を考慮し本体１も台座２も鋭角部は設けない。便座のサイズ及び使用者の使い安い位置を選ぶ為に可動領域を設け、本体１の裏面には両面テープ等の仮接着機能を有し、トイレ便座へ直に仮貼り付けることにより、本体１とリング２の締め付け作業をより容易にする。
本発明は以上のような構造である。
【実施例】
【０００７】図１、図２、図３に示す軟質塩化ビニール製の本体１のサイズは幅２０〜５０ｍｍ前後、厚み２〜５ｍｍ前後と、樹脂性軽量造形材製樹脂材のリング２のサイズは本体１の外幅と同寸プラス１ｍｍ程度、強度を考慮し厚みは５ｍｍ以上とし、両者を組み合わせることで好適な組み合わせとして標準化する。このことにより設計、施工製作が容易になる。また本体１およびリング２には軟質塩化ビニール材と樹脂性軽量造形材製樹脂材を用いるのが最適である。素材として耐蝕性のあるステンレス製部材や硬質部材は安価製作が難しいと思われるためである。また、トイレ便座へ直に仮貼り付けることにより、本体１とリング２の締め付け作業をより容易にする為の１０ｍｍ角前後の両面テープを付属する。【０００８】以上、本発明の実施の形態及び実施例を説明したが、本発明の範囲はこれに限定されるものではない。例えば、本体１とリング２との組み合わせ設置位置、全体サイズ、あるいは本体１とリング２を脱着可能な機能を施すことは、状況に応じて適宜選択されるものである。【０００９】また、トイレ便座の開閉における利用という一面に限らず、キッチン用の小箱、事務机や家具等の引出しや扉の開閉時に利用しても良い。例えば幼児や介護を必要とされる場合の小箱での使用も可能である。【００１０】さらに、発明を実施するための最良の形態と実施例では、軟質塩化ビニール材と樹脂製軽量造形材及び両面テープについて説明しているが、軟質塩化ビニール材と樹脂性軽量造形材、両面テープに限られたものではなく、その他例えば、軟・硬質金属材、合成樹脂材、木材、弾性部材、セラミック材・軟・硬質塩化ビニール材、耐蝕性ステンレス材等、適当な任意の材料のものが利用でき、形状、大きさも任意に選定する事が出来る。また、用途も衛生用品としての利用を目的とするものに限られず、主として簡易で便利性の開閉用付属具として広く用いる事が可能である。
【産業上の利用可能性】
【００１１】本発明は、衛生用品または事務・台所用品を製造する産業で利用される。
【図面の簡単な説明】
【００１２】
【図１】本発明を実施するための最良の第一の形態の外観斜視図である。
【図２】本発明を実施するための最良の第一の形態の平面図である。
【図３】本発明を実施するための最良の第一の形態の断面図である。
【符号の説明】（１）    取手本体
（２）    固定する為の締め付け用リング
（３）    仮固定する為の両面テープ
【図１】
2010259750.tif 000003
【図２】
2010259750.tif 000004
【図３】
2010259750.tif 000005
(57)【要約】【課題】靴を履く時に、靴に取付けて足首を装飾する足首装飾具を提供する。【解決手段】  靴の踵に着脱自在になるようなクリップを設け、このクリップの上部中央には開閉保持用のつまみを取付け、クリップ上部の左右両側には先端が輪状になった針金を取付け、前記輪に紐を通して、足首に装飾品の付いた紐を巻き、位置調整後に紐を固定するようにしたことを特徴とする足首装飾具。【選択図】図１
2010259747.tif 000002
【特許請求の範囲】
【請求項１】
靴の踵に着脱自在になるようなクリップを設け、このクリップの上部中央には開閉保持用のつまみを取付け、クリップ上部の左右両側には先端が輪状になった針金を取付け、前記輪に紐を通して、足首に装飾品の付いた紐を巻き、位置調整後に紐を固定するようにしたことを特徴とした足首装飾具。
【発明の詳細な説明】
【技術分野】
【０００１】  本発明は、靴を履く時に靴に取付けて足首を装飾する足首装飾具に関するものである。
【背景技術】
【０００２】  従来、靴に取付けることなく、足首に巻いて装飾する金属製のアクセサリーは存在する。
【発明の開示】
【発明が解決しようとする課題】
【０００３】  そのために、次のような問題点があった。
（イ）足の幅が大きい人や、外反母趾を持つ人は、靴を選ぶ時、機能性を重視するため、デザイン性のあるものを選ぶことができず、足元のオシャレを楽しめなかった。
（ロ）足首に巻いて装飾する金属製のアクセサリーでは表現できない大きめの装飾を足元に施せなかった。
（ハ）大きめの靴を履いて脱げやすい場合、中敷を入れて調整することしか方法がなかった。
本発明は以上の問題点を解決しようとするものである。
【課題を解決するための手段】
【０００４】  靴の踵に着脱自在になるようなクリップを設け、このクリップの上部中央には開閉保持用のつまみを取付け、クリップ上部の左右両側には先端が輪状になった針金を取付け、前記輪に紐を通して、足首に装飾品の付いた紐を巻き、位置調整後に紐を固定するようにした。以上を特徴とする足首装飾具である。
【発明の効果】
【０００５】  本発明は、手持ちの靴に取付けて足首を装飾する。したがって、取外しが可能で、さまざまなデザインの装飾を楽しめて、経済的で、新しい靴を履くように楽しめる。
また、足首に紐を巻いて固定することで靴が脱げにくく歩きやすい。
【発明を実施するための最良の形態】
【０００６】以下、本発明の実施の形態を説明する。
（イ）  着脱自在になるクリップ（１）の上部中央に開閉保持用のつまみ（２）が設けられ、クリップ（１）上部の左右の両側に、先端が輪（３）の形状をした針金（４）を設ける。
（ロ）  （イ）のクリップ（１）とは独立して、装飾品（６）の付いている紐（５）がある。
その紐（５）の両端の表面と裏面に面ファスナー（７）が設けられている。
本発明は、以上の構成よりなっている。
本発明を使用するときは、靴を履いた状態で靴の踵の先端部に、つまみ（２）を持ちクリップ（１）をはさみ、装飾品（６）の付いた紐（５）を左右の輪（３）の中に通す。足首に紐（５）を巻き装飾品（６）を適当な位置に調整し、面ファスナー（７）で留める。
【図面の簡単な説明】
【０００７】
【図１】本発明の斜視図
【図２】本発明の分解斜視図
【図３】本発明の使用状態を示す斜視図
【符号の説明】
【０００８】１  クリップ
２  つまみ
３  輪
４  針金
５  紐
６  装飾品
７  面ファスナー
【図１】
2010259747.tif 000003
【図２】
2010259747.tif 000004
【図３】
2010259747.tif 000005
(57)【要約】【課題】  高齢化の進む中、年を重ねると少しの段差でもつまずきやすく、倒れてケガや骨折しやすいので、つまずきにくい履物を提供する。【解決手段】  履物のつま先部分をゴム（１）と丸みをつけたプラスチック（２）と皮など（３）と一体に成型した履物を特徴とする。【選択図】図１
2010259744.tif 000002
【特許請求の範囲】
【請求項１】
履物のつま先部分にゴム（１）と丸みをつけたプラスチック（２）と皮など（３）を一体成型したものを設けた履物。
【発明の詳細な説明】
【技術分野】
【０００１】    この発明は履物のつま先部分を硬質で割れにくいプラスチックに丸みをつけ、ゴム、    皮などと  一体に成型した履物に関するものです。
【背景技術】
【０００２】    従来の履物のつま先部分は殆んどゴム素材で出来ている。
【発明の開示】
【発明が解決しようとする課題】
【０００３】    従来の履物は殆んどゴム素材でクッション性、すべりにくさなどを重視してつま先部    分に丸みをつけたものもあるが殆んど角になっている。高齢化が進む中老人などは少    しの段差でもつまずきやすくなり倒れて骨折し大ケガをすることも沢山増えている。    ゴム自体は滑りにくいので、ひっかかってしまう欠点があった。本発明は以上のよう    な欠点をなくす為にされたものである。
【課題を解決するための手段】
【０００４】    履物のつま先部分にゴム（１）と丸みをつけたプラスチック（２）と皮など（３）を一体に成型したものを設ける。本発明は以上の構成によるつまずきにくい履物である。
【発明の効果】
【０００５】    つま先部分を硬質で割れにくいプラスチック（２）に丸みをつけ、ゴム（１）皮など    （３）と一体に成型してあるので、少しの段差があってもプラスチック素材の滑りや    すさによって、引っかかりにくくなり、老人などは少しの段差でもつまずかなくなり    ケガや骨折がしにくくなり、本発明は高齢化の医療貢献にもなり、靴、サンダル、ス    リッパなどに利用でき、老若男女全てに幅広く仕様できる。この履物を履いても滑る    事は無い。
【発明を実施するための最良の形態】
【０００６】    以下、本発明を実施するための最良の形態について説明する。履物のつま先部分にゴ    ム（１）と丸みをつけたプラスチック（２）と皮など（３）を［図１］［図２］［図    ３］［図４］様に一体成型する。本発明は、以上のような構造である。この履物を使    用すれば、つま先部分に丸みがついているのでつまずきにくくなり、倒れてケガや骨    折がしにくくなる。
【図面の簡単な説明】
【０００７】
【図１】    本発明の正面図である。
【図２】    本発明の底面斜視図である。
【図３】    本発明の平面図である。
【図４】    本発明の平面図Ａ−Ａ断面図である。
【符号の説明】
【０００８】    １    ゴム
２    プラスチック
３    皮など
【図１】
2010259744.tif 000003
【図２】
2010259744.tif 000004
【図３】
2010259744.tif 000005
【図４】
2010259744.tif 000006
(57)【要約】【課題】通常のゴルフクラブはロフト角、ライ角、プル角、シャフトの長さなどが固定されている。そのためクラブに自分のスイングを無理に合わせることになる。【解決手段】クラブシャフト先端が球状になっており、クラブヘッド側が前記球状のクラブシャフトの先端とぴったりと合うドーム型になっている。前記球状のシャフト先端と、前記ドーム型の部分が圧着することで固定される仕組みである。固定ビスを緩めると前記シャフトと前記クラブヘッドは自由に動かせるようになる。その緩めた状態で好みの位置に合わせ、再びビスを締めることで固定できる。【選択図】図１
2010259746.tif 000002
【特許請求の範囲】
【請求項１】
ロフト角、ライ角、プル角、シャフトの長さを自由に変えられるゴルフクラブ及び練習器具。
【発明の詳細な説明】
【技術分野】
【０００１】  本発明はゴルフクラブに関するものである。
【背景技術】
【０００２】  通常のゴルフクラブはロフト角、ライ角、プル角、シャフトの長さなどが固定されている。そのため一度購入してしまうと、クラブに自分のスイングを合わせる状態になる。
【先行技術文献】
【特許文献】
【０００３】
【特許文献１】  特許公開２００６−３２６２３２
【特許文献２】  特許公開２００６−４２９５１
【発明の概要】
【発明が解決しようとする課題】
【０００４】  通常のゴルフクラブはロフト角、ライ角、プル角、シャフトの長さなどが固定されている。そのため一度購入してしまうと、クラブに自分のスイングを合わせる状態になる。【０００５】  ゴルフをする人が、自分に合わせて自由にクラブを調節できれば、クラブに自分自身のスイングを無理に合わせる必要がなくなる。
【課題を解決するための手段】
【０００６】  通常のゴルフクラブは、クラブヘッドとクラブシャフトが固定されているが、クラブヘッドとクラブシャフトの結合部分が自由に調節できるようにすることで、自分のスイングにクラブを合わせることができる。【０００７】  クラブヘッドとクラブシャフトを自由に動かすことができるようにすることで、クブのロフト角、ライ角、プル角を調節できるようになる。【０００８】  また前記ゴルフクラブはクラブシャフトの一部が簡単に分離できる。そのため別の長さのクラブシャフトに付け替えることで、クラブシャフトの長さを変えられる。
【発明の効果】
【０００９】  ゴルフクラブのクラブヘッドとクラブシャフトとの角度、シャフトの長さを自由に変えられることで、自分のスイングにクラブを合わせることができる。【００１０】  その日のコンディションに応じてクラブを調節することも可能となる。【００１１】  プロのゴルファーにおいては、試合の当日にクラブメーカーの技術者が大会会場に赴き、選手のクラブを調整している。【００１２】  しかし本ゴルフクラブは、プロの技術者に頼ることなく、自分自身で簡単に、その日のコンディションに合わせてクラブを調整できる。【００１３】  本ゴルフクラブで最適なクラブを体験し、それを基準に通常のゴルフクラブを選べば最適なクラブを見つけることができる。【００１４】  また、パターにおいてはグリップの向きを自由に調節できる利点も生まれる。
【図面の簡単な説明】
【００１５】
【図１】クラブヘッドとシャフトの接合部
【図２】逆Ｌ字型パター
【図３】分離できるシャフト
【発明を実施するための形態】
【実施例】
【００１６】  図１は本発明の第１実施例を示す。図１に示すように、クラブシャフト先端が球状になっており、クラブヘッド側の接合部が前記クラブシャフトの球状の先端とぴったりと合うドーム型になっている。【００１７】  前記球状のシャフト先端と、前記ドーム型の部分が圧着することで固定される仕組みである。【００１８】  固定ビスを緩めると前記先端が球状のシャフトと前記クラブヘッドは自由に動かせるようになる。その緩めた状態で好みの位置に合わせ、再びビスを締めることで固定できる。【００１９】  図２は本発明の第２実施例を示す。図２に示すように、パターにおいては通常のパターの逆側にシャフトをセットすることが可能である。一般的に逆Ｌ字型と呼ばれている形である。【００２０】  図３は本発明の第３実施例を示す。図３に示すように、クラブシャフトが分割できる。【００２１】  途中から違う長さの別のクラブシャフト繋ぐことで、クラブシャフトの全長を変えられる。【００２２】  また、パターにおいてはグリップの向きを自由に調節できる利点も生まれる。
【符号の説明】
【００２３】  １クラブシャフト
２クラブヘッド
３ドーム型のシャフト受け
４ビス穴
５グリップ
６ナット
【図１】
2010259746.tif 000003
【図２】
2010259746.tif 000004
【図３】
2010259746.tif 000005
(57)【要約】【課題】傾斜面を歩行又は傾斜面での作業をする際は、足が滑りやすく、また、従来のスパイクでは、例えば４５度の傾斜なら、スパイクの金具で滑らないだけで、足首は４５度に曲げ続けながら作業をしなければならなかった。よって、足や足首を痛めるなど、負担をかけながら作業をしなければならなかった。【解決手段】任意の角度、例えば９０度に折り曲げた板の片面の上に足を乗せ紐などで固定することで、足底を水平に保ちながら傾斜面を歩く、又は傾斜面で作業ができるので、足や足首に負担がかからない。尚且つ本体１が人の体重により傾斜面５に食い込んで滑りにくい。【選択図】図１
2010259741.tif 000002
【特許請求の範囲】
【請求項１】
傾斜面を歩行又は傾斜面で作業する際、任意の角度に折り曲げた板の上に足を乗せ紐などで固定することで、滑り止めとすることを特徴とする靴底装着用滑り防止用具。
【請求項２】
任意の角度、例えば９０度に折り曲げた板の片面の上に足を乗せ紐などで固定することで、足底を水平に保ちながら傾斜面を歩く、又は傾斜面で作業ができることを特徴とする請求項１記載の靴底装着用滑り防止用具。
【発明の詳細な説明】
【技術分野】
【０００１】  この発明は、傾斜面等の草刈り作業等に用いる靴底装着用滑り防止用具の形状に関する。
【背景技術】
【０００２】  従来の傾斜面等の作業に用いる靴底装着用滑り防止用具の形状は、図３に示すように、靴底６に釘状のスパイクの金具７が設けられたものである。
【発明の開示】
【発明が解決しようとする課題】
【０００３】  しかしながら、以上の技術によれば、例えば４５度の傾斜なら、スパイクの金具で滑らないだけで、足首は４５度に曲げ続けながら作業をしなければならなかった。
そこで、この発明は、傾斜を滑らず、尚かつ足首を曲げ続けなくてよい靴底装着用滑り防止用具を提供することを課題とする。
【課題を解決するための手段】
【０００４】  以上の課題を解決するために、第一発明は、傾斜面を歩行又は傾斜面で作業する際、任意の角度に折り曲げた板の上に足を乗せ紐などで固定することで、滑り止めとすることを特徴とする靴底装着用滑り防止用具である。
また、第二発明は、任意の角度、例えば９０度に折り曲げた板の片面の上に足を乗せ紐などで固定することで、足底を水平に保ちながら傾斜面を歩く、又は傾斜面で作業ができることを特徴とする靴底装着用滑り防止用具である。
【発明の効果】
【０００５】  第一発明によれば、任意の角度に折り曲げた板の上に足を乗せ紐などで固定し、傾斜面を歩行又は傾斜面で作業する為、滑りにくく歩行や作業しやすい。
また、第二発明によれば、任意の角度、例えば９０度に折り曲げた板の片面の上に足を乗せ紐などで固定し、足底を水平に保ちながら傾斜面を歩行、又は傾斜面で作業することで、滑りにくく、尚かつ足首に負担をかけず歩行や作業ができる。
【発明を実施するための最良の形態】
【０００６】  この発明の一実施形態を、図１に示す。
靴底装着用滑り防止用具本体１は任意の角度、例えば９０度に折り曲げた板であり、本体１の上面には、靴２と本体１とを固定する紐など４を通す穴３が設けられている。この本体１の上面に足を乗せ紐など４で固定する。【０００７】「実施形態の効果」
この実施形態によれば、傾斜面５を歩行する際、本体１が人の体重により傾斜面５に食い込んで滑りにくい。したがって、傾斜面５を歩行しやすい。さらに、足底を水平に保てるので、足首を無理な角度に曲げずに済み、足首を痛めるなど、負担をかけずに歩行や作業ができる。【０００８】「他の実施形態」
図１の実施形態では、本体１の傾斜面５との設置部分は平らであったが、他の実施形態では、より滑りにくくするため、のこぎり状のギザギザした形態のものでも良い。また、本体１と靴２を紐など４で固定する際、本体に穴を開けずに金具を設けたものでもよい。
【図面の簡単な説明】
【０００９】
【図１】この発明の一実施形態を示す斜視図である。
【図２】この発明の一実施形態を示す立面図である。
【図３】従来技術を示す斜視図である。
【符号の説明】
【００１０】      １  靴底装着用滑り防止用具本体            ２  靴
３  紐などを通す穴        ４  紐など      ５  傾斜面
【図１】
2010259741.tif 000003
【図２】
2010259741.tif 000004
【図３】
2010259741.tif 000005
(57)【要約】      （修正有）【課題】単に水槽で藻の栽培増殖を待つのでは、大きな装置、広い面積で、成長まで長時間を要する。従って、光合成を活発化するため、光合成菌等の微生物の活性化、担体として、出来るだけ広い面積を用意する必要がある。【解決手段】栽培槽に下記三システムを組み合わせる。珪藻土焼成粒５を栽培槽４の底辺に一定量敷き詰める。更に、珪藻土焼成粒５を不織布に包んで同じく底辺に敷き詰めることに拠り作業性がよくなる。又同粒５に予め光合成菌等特定の有効菌を培養、添加しておく。石炭火力発電所から出るＣＯ２の回収・貯留（ＣＣＳ）設備から出るＣＯ２を微細な気孔の付いた配管３から噴霧し珪藻土粒との接触と水溶液への溶解のチャンスを増やす。清掃に使うプラスチック製ブラシを珪藻土層の上部に設置する。【選択図】図２
2010259426.tif 000002
【特許請求の範囲】
【請求項１】
「藻類から作るバイオ燃料」に於いて、藻をいかに効率よく培養するかが重要な課題である。その目的で栽培槽に下記三システムを組み合わせ、それぞれの持つ特長を生かした藻類の栽培装置。
−珪藻土焼成粒を栽培槽の底辺に一定量敷き敷き詰める。
−石炭火力発電所から出るＣＯ２の回収・貯留（ＣＣＳ）設備から出るＣＯ２を微細な気孔の付いた配管から噴霧し珪藻土粒との接触する機会を増やす。
−清掃に使うプラスチック製ブラシを珪藻土層の上部に図（３）、（４）の様に設置する。
【発明の詳細な説明】
【技術分野】
【０００１】−珪藻土焼成粒が持つ微生物の増殖剤、特に光合成菌の増殖効果を活用する。
−ＣＣＧガスを珪藻土焼成粒層を通過させ相互に接触しやすくする。
−プラスチック製ブラシを組み合わせ、微生物の担体のとしての面積を増やす。
【背景技術】
【０００２】−藻は単細胞植物とも呼ばれ、光合成菌等の微生物と同類項ゆえ、珪藻土焼成粒が土壌改良剤の分野で発揮している同様の効果を期待する。
−ＣＣＧガスを底辺から噴霧する事で光合成菌との接触の機会を増やす。
−プラスチック製ブラシは繊維状ゆえ、表面積が大きいので、微生物の担体としての効果を期待する。
【発明の開示】
【発明が解決しようとする課題】
【０００３】−単に水槽で藻の栽培増殖を待つのでは、大きな装置、広い面積で、成長まで長時間を必要とする。従って、光合成を活性化するため、光合成菌等の微生物の活性化、担体として、出来るだけ広い面積を用意する必要がある。
【課題を解決するための手段】
【０００４】  栽培槽に下記三システムを組み合わせる。
−珪藻土焼成粒を栽培槽の底辺に一定量敷き詰める。
更に、珪藻土焼成粒を不織布に包んで同じく底辺に敷き詰めることに拠り作業性がよくなる。又同粒に予め光合成菌等特定の有効菌を培養、添加しておく。
−石炭火力発電所から出るＣＯ２の回収・貯留（ＣＣＳ）設備から出るＣＯ２を微細な気孔の付いた配管から噴霧し珪藻土粒との接触と水溶液への溶解のチャンスを増やす。
−清掃に使うプラスチック製ブラシを珪藻土層の上部に図（３）、（４）のように設置する。
【発明の効果】
【０００５】ー珪藻土粒が光合成菌等の微生物の増殖に寄与し、ＣＣＳガスの溶解に拠り葉緑素成長を促進する。
−プラスチック製ブラシによる表面積の拡大に拠り微生物の増殖、藻類の増殖をもたらす。
【発明を実施するための最良の形態】
【０００６】上記（０００４）の三システムを同時に採用することに拠り増殖効果は大幅にアップします。
【実施例】
【０００７】藻類とは、単細胞植物の総称で、これまで珪藻土粒が光合成菌等数多くの微生物活性化は実用レベルで確認さており、プラスチック製ブラシが微生物の担体として優れていることは、実験室レベルで確認されている。
【産業上の利用可能性】
【０００８】藻類を原料にしたバイオ燃料が世界中で注目を集めております。トウモロコシや砂糖黍等の食料と競合せず、狭い面積で大量に培養できる点が特徴で、軽油と同程度の価格まで下げられるのではないかと期待されている。上記（０００４）の三システムを採用すれば、このコスト・ダウンの現実化に大きく寄与する事が期待される。
【図面の簡単な説明】
【０００９】
【図１】培養槽の側面図。珪藻土粒を直接装置の底辺に置いた。
【図２】同上。珪藻土粒を不織布に入れたものを底辺に置いた。
【図３】プラスチック製ブラシ二本が相ふれあっている立体図
【図４】同平面図
【符号の説明】  １  藻及びその他微生物
２  珪藻土粒単体層
３  ＣＣＳガス通過パイプ。上部に微細な穴が開いており、そこからＣＣＳガスが上部に噴霧される。
４  培養槽の側面
５  不織布に入れた珪藻土焼成粒
６  プラスチック製ブラシ材
７  ブラシベース
８  キー
９  支持体
【図１】
2010259426.tif 000003
【図２】
2010259426.tif 000004
【図３】
2010259426.tif 000005
【図４】
2010259426.tif 000006
(57)【要約】【課題】自然環境を損なわず、アサリなどの二枚貝類の稚貝を安定して着底させて、成貝まで成長することが可能となる場所を提供する。【解決手段】原料は、全て生分解性樹脂を使用して製造し、アサリなどの稚貝が足糸を付着して着底しやすくした、また、着底後の流出を抑制させる、網状骨格体の構造をした生分解性の基盤材である。【選択図】図１
2010259418.tif 000002
【特許請求の範囲】
【請求項１】
原料の全てを生分解性樹脂で製造した、二枚貝類の稚貝着底用基材。
【請求項２】
請求項１の稚貝着底用基盤材を用いることで、二枚貝類の稚貝の着底を促進させ、安定した稚貝から成貝への成長を促す二枚貝類の増殖方法。
【発明の詳細な説明】
【技術分野】
【０００１】  本発明は、生分解性二枚貝類稚貝の着底用基盤材、二枚貝類の増殖方法に関するものである。
【背景技術】
【０００２】  近年、アサリなどの二枚貝類の減少が著しくなってきている。これは、干潟などの浅場が減少し、二枚貝類の稚貝が着底できる場所がなくなってきたためである。二枚貝類の中でもアサリなどは、幼生あるいは稚貝のとき、着底に際して小石の脇などの比較的安定した場を好むことが知られており、タンパク質からなる足糸を小石などに付着させて着底していく。しかし、安定して着底できる場がなくなった今、稚貝は、波に流され、成貝まで成長することはできない。【０００３】  アサリなどの二枚貝類を増殖するために、稚貝が着底しやすい安定した場所を作り、稚貝の着底を促し、稚貝を成貝まで成長させる取り組みが行われてきた。例えば、レキや粗砂を砂泥に混ぜ込んで底質を改良して着底場所を設けた。しかし、レキ・粗砂の埋没により、粗い底質状態が持続せず、稚貝は着底せずに波に流されていった。
【発明が解決しようとする課題】
【０００４】  そこで、本発明は、二枚貝の稚貝の着底率が高く、一度着底したら長期にわたって安定して着底し続けることができる基盤材を提供することを目的とする。
【課題を解決するための手段】
【０００５】  上記目的を達成するために、本発明品の基盤材は、網状骨格体で、適度な大きさ、割合の空隙がある構造とした。また、原料は全て生分解性の樹脂を使用したことを特徴とする。
【０００６】  本発明品の稚貝着底用基材を設置することで、その設置場所周辺の潮流が緩やかになり、稚貝は基盤材に着底しやすくなる。また、網状骨格体の構造は、多くの稚貝を着底させることが可能で、着底後は、波で容易に流失することなく成貝まで成長することができる。
【０００７】  さらに、生分解性の樹脂でできた本基盤材は、収穫時には手で容易に崩せ、成貝を収穫しやすくなっている。また、本基盤材が海中に残るようなことがあっても、生分解性樹脂でできているため、水と二酸化炭素にまで分解され、海洋環境を守ることができる。
【発明の効果】
【０００８】  本発明の稚貝着底用基盤材は、多くの稚貝の着底が見られ、特に、足糸を出すアサリなどの二枚貝類が、本基盤材に足糸を付着させやすく、安定して着底することができる。また、一度着底した稚貝は波で容易に流されることなく成貝まで成長する。さらに、本基盤材は、着底した稚貝を食害する生物の侵入を防ぐ役目も果たし、天然の着底場所以外では見られない殻長２５ｍｍ以上の成貝まで成長させることができる。
【発明を実施するための形態】
【０００９】  二枚貝類の増殖に適するように、海中に稚貝の着底場所を提供するこの発明において、この実施の形態は、特にアサリの増殖に適した稚貝の着底場所としてなされる。図１に本発明品の実施形態を示す。５０ｃｍ×２０ｃｍ×１５ｃｍの本基盤材を１６個、図１の様に配置した。
【実施例】
【００１０】  ２００７年９月から２００９年３月まで、愛媛県西条市の干潟で転石域から５０ｍ離れた付近で、満潮時に水深３ｍになる所に、上述に示した形態で本基盤材を設置し、天然のアサリの着底状況を調べた。【００１１】  結果は、本基盤材周辺で、殻長２ｍｍ未満のアサリ固体が１３００個体／平方メートルが確認され、これは、アサリの分布が集中している転石域と同等であった。一方、本基盤材を設置していない区域では、３５０個体／平方メートルであった。また、本基盤材内に着底していたアサリの個体数は、殻長９．３〜３４．５ｍｍのアサリが３６個体、殻長２１．１〜３８．０ｍｍのアサリが５７個体で、比較的大きな成貝を確認することができた。
【図面の簡単な説明】
【００１２】
【図１】稚貝着底基盤材の設置方法を示した図である。（ａ）が稚貝着底用基盤材である。
【図２】本発明品の稚貝着底用基盤材の斜視図である。
【図１】
2010259418.tif 000003
【図２】
2010259418.tif 000004
(57)【要約】【課題】現状残渣の処理費用を生産業者が支払って専門業者に依頼して処理を行っている、この処理費用は直接経費に影響しているのが現状である。【解決手段】残渣をこの処理法によって有効利用に転化し尚且つ支出を収入に返還させることが可能となる処理法である、設置費用もごく僅かである、また出来上がった処理後の醤油粕の残渣物は塩分が殆どなく備蓄用飼料や食用として添加剤にも応用できる、栄養価が高く高品質の食材となるものである。【特許請求の範囲】
【請求項１】
醤油絞粕を容器に入れ、これに水を加えて混濁状にする。次に過酸化水素（Ｈ２Ｏ２）より派生する・ＯＨ基（ヒドロキシルラジカル）によって、まず臭気の脱臭、脱塩化を行い、尚且つ腐敗の防止に寄与することが出来る。其の後、固体の解舒が進み、残渣物と活性水に分離される。処理工程には水での洗浄、濾過（脱水）乾燥を経て、有用物質の醤油残渣が取り出され、飼料等に利用できる。活性水は若干薄めて塩分濃度を低くし、家畜の飲料水（栄養価が高）や農業用の撤き水等に利用する。使用したすべての素材が有効に利用される。この全ての処理は常温で行える。
【請求項２】
豆腐の製造工程で副産物として大量に発生するオカラの処理も請求項１と同様に行う、オカラは腐敗の速度が速く腐敗を防ぐための処理も請求項１に記載する方法で処理を行なえばこの目的は達成する。処理をした粕は飼料、肥料などに利用する。
【請求項３】
焼酎の残渣（芋、麦）などは非常に粒子が小さくコロイド状の酸性物質である為に処理方法が難しく海上投棄などを行なってきたが環境省より海上投棄禁止の通達があって必然的に無害処理を強いられることになった。この処理法は請求項１．２とは違った方法で行なう。残渣を容器に入れて容器の底部よりＯ３を注入すると、残渣が上層部に浮遊してくる、これを取り出して熱乾燥、遠心分離機によって脱水し、粉末状態にして飼料、肥料などに利用する。
【発明の詳細な説明】
【技術分野】
【０００１】  食品残渣物の大半は発酵食品のもので、この中には酵素群が多量に含まれている、Ｈ２Ｏ２やＯ３の・ＯＨ（ヒドロキシルラジカル）が酵素に出会うと特異反応が起きる、即ちＨ２Ｏ２の分解作用ではＨ２Ｏ２の・ＯＨが基質であると同時にドナーとなっており、酵素群が自らＨ２Ｏ２を敵と見做し、攻撃して分解させようとする、又、Ｈ２Ｏ２の・ＯＨが発酵食物の酵素に対し酸化還元反応を行なう、従って双方共解舒性の反応に寄与し劇的に分離促進を行なうものである、この時、臭い成分はラジカル反応によって脱臭され、防腐機能なども加味される。全く、便利な解舒機能を見出して食品残渣物の処理に使用することを提唱するものである。
【背景技術】
【０００２】  特徴の一つは分解速度が速く・ＯＨ反応を伴って、一浴の処理剤として使用できる（単一の薬剤）。確実な分離分散を促すには、この工程を少量ずつ２回以上行なうことも出来る、特筆すべきは特別な装置も必要なく、通常の温度範囲で反応できるために、コスト競争力にも優れている（熱源も不要）。又、処理した後は残渣物と活性水とに分離できるので廃棄する部分が殆ど出ず、活性水は数倍に薄めて農業用の撤き水や家畜の飲料水にも利用が出来る。ゼロエミッションにもなっている。
【発明の概要】
【発明が解決しょうとする課題】
【０００３】  昨今産業廃棄物の不法投棄が問題化し、処理費が益々高騰している。その中でも厄介物である醤油粕、焼酎粕、オカラなどを有用物質に回帰させて素材の再利用を計る。環境改善やニューテクノロジーの発展に寄与するものと考える。発酵食品の残渣物には残存している酵素類が大量に含まれていると推測される。これが発想の原点である。又、動、植物の細胞にはミトコンドリア器官があり、ＴＣＡサイクルに存在する酵素類が電子の受け渡しを行なって過剰な活性酸素（フリーラジカル）を抑える働きや、生命維持に関るエネルギーの生産を行なっている、ミトコンドリアの「酸化的リン酸化」もよく知られている。対象発酵物の素材は、米、麦、大豆、トウモロコシ、芋、野菜屑などである。提唱しているシステムの有機物の分解促進作用が生体内で営まれているラジカルの防禦作用によく似た機序をもっている、即ち残渣物成分中の酵素群や水溶性ビタミン類、グルコース、硫黄やその化合物であるアミノ酸のＳ−Ｈ基などが、活性物質の基質となり、今回の処理メカニズムの主役として登場する。その活性物質はＨ２Ｏ２（過酸化水素）やＯ３（オゾン）等・ＯＨの強力ラジカル水である。
【発明を解決するための手段】
【０００４】  Ｈ２Ｏ２（３０％物）を２回に分けて投与する、醤油粕１００ｇに対し水道水（上水）１．０００ｍｌを加えておく、水道水（ｐＨ７．０）ＯＲＰ（酸化還元電位）８０８ｍＶ。攪拌容器に過酸化水素（Ｈ２Ｏ２  ３０％混）を２０ｇ投入する、投入時のｐＨは４．６９でＯＲＰは３７７ｍＶであった。第１回の投入でＨ２Ｏ２が殆ど分解した、この状況のｐＨは４．６５、ＯＲＰは３９９ｍＶであった。次に第２回目の投与として約５分後に更に２０ｇ（Ｈ２Ｏ２、３０％）と水道水５００ｍｌを投入し、攪拌する、常温で反応が起こっており３０〜４０分位で醤油粕類は順調にに分解され解舒された状態になった。因みに醤油粕はシート状に固まった強烈な異臭を発したこげ茶色の（相当に硬い）アメ状物質である。次に水と残渣物を濾過紙を用いて分離した。残渣物の重量は６４ｇ（投入した残渣物は１００ｇ）水（Ｈ２Ｏ）の重量は９００ｍｌ（投入２回で計１．５００ｍｌ）取り出した活性水（分離した水）は第１回目が４２０ｍｌ、第２回目が４８０ｍｌであった。第１回目の処理水のｐＨは６．４ＯＲＰは３１２ｍＶ第２回目の処理水のｐＨは６．６４，ＯＲＰは３３１ｍＶこの処理水の還元力は４９６／４７７ｍＶで非常に優秀である。処理過程において懸念された塩分は醤油粕に含まれず高濃度塩分のうち大半が活性水に移転した。家畜の飲料水か農業用活性水として利用する場合は１００倍以上希釈して使えば塩分の問題は殆ど関係せず優秀な活性水として利用できる。塩分の件は５〜１０倍の希釈水で殆ど無害となる、この時点でのＯＲＰは８０８ｍＶ標準値に（水道水）に対して４０〜５０ｍＶと還元力は維持した状態で有効な活性水としての応用が期待できる。
【発明の効果】
【実施例】
【産業上の利用可能性】